(57)【要約】      （修正有） 【課題】飾りセットを収納ケースに収蔵し、且つ当該収納ケースを被装する外箱から構成されるようにすることで、普段は外箱に被装された状態で書棚などに収納することができるようにし、祭事の際に書棚などから容易に取り出し、飾り付けが実施でき、また収納の際も極めて容易に収納し得る、祭事セットを提供する。【解決手段】上段部には男雛９及び女雛１０と、一対の雪洞１４が収蔵されている。一方、下段部には一対の台座１８が天地逆さに載置され、当該台座１８には、女官・加之銚子１１、女官・長柄銚子１２、女官・三宝１３から成る三人官女と、一対の菱餅１５が収納されており、更に、一対の座布団１６並びに一対の座布団用緋毛氈１７が収蔵されている。【選択図】図３
0003145133.tif 000002
【実用新案登録請求の範囲】
【請求項１】
主に雛人形、五月人形等の節句に用いられる飾りセット、更には、年中行事や四季の風物をテーマにした飾りセットを収蔵した収納ケースと、当該収納ケースを被装する外箱から成る状態で書棚などに収納することができるようにしたことを特徴とする、祭事セット。
【請求項２】
収納ケースを被装する外箱の背表面部に、当該収納ケースに収蔵されている飾りセット等の名称が記載されていることを特徴とする、請求項１記載の祭事セット。
【考案の詳細な説明】
【技術分野】
【０００１】
本考案は、主に雛人形、五月人形等の節句に用いられる飾りセット、更には、年中行事や四季の風物をテーマにした飾りセットを収蔵した収納ケースと、当該収納ケースを被装する外箱から成るものであり、普段は外箱に被装された状態で書棚などに収納することができるようにした、祭事セットに関する。
【背景技術】
【０００２】
従来、例えば雛飾りには、１５体の人形を飾る七段飾り、男雛、女雛と三人官女の５体を飾る三段飾り、男雛と女雛のみを飾る平飾り等があり、一般的に七段飾りや三段飾りでは階段状に仕立てた飾り段に緋毛氈を敷き、その上に雛人形や屏風、その他の飾りを載置して飾りつけを行い、更に、雛あられ・桃花や白酒を添えることが慣習になっている。また、その雛祭りは日本の古来からの伝統行事として女児の成長を御祝いするものであるが、上記七段飾りや三段飾りにおいては、飾り段の組み立てが厄介であったり、どの人形にどの小道具を持たせたりどの烏帽子を被せたら良いのか、飾り付けに長時間を要すことや、ほとんど余分なスペースがないという住宅事情もあって、近年は飾り付けが簡素な平飾りや初めからガラスのケースに収納され飾り付けがいらないコンパクトなものが好まれる傾向にある。
【０００３】
一方、上記雛飾りの七段飾りや三段飾りにおいて、人形は人形用の収納箱、道具類は道具類の収納箱、飾り段は各飾り段の組み立てパーツ及び緋毛氈などを収納する収納箱というように、最低三個の大型収納箱から構成され、これらは普段押入や物置に収納されるものであるが、それらを保管するために別途多大なスペースが必要であること、更に五月人形飾りにおいても同様な事情があり、これら年に一度の祭事に使用される物品保管のために、益々他物品を収納するスペースが確保できないという課題がある。そこで近年、上記雛飾りがその保管のために、多大なスペースを要するという課題を解決するものとして、実開平５−３９５９２号、実用新案登録第３０１３８５０号などが案出されている。ここで、実開平５−３９５９２号は、雛人形等の収納・飾り台に関するものであり、箱本体の収納体の上面に開閉可能な蓋体を設ける一方、収納体に、太刀、冠などの小道具を付けた状態の雛人形等を収納するスペースを確保した雛人形等の収納空間と、収納体に組み付け可能で、雛人形を飾る雛壇を分解した状態で収納する雛壇の収納空間とを区画して設けたことを第一の要旨とするものであった。更に、収納体内空間を仕切り板により上下に分割し、この下部空間に雛人形等を飾る雛壇を分解した材料を収納し、上部空間に太刀、冠などの小道具を付けた状態の雛人形等を収納するようにしてもよいとのものであった。続いて、実用新案登録第３０１３８５０号は、雛人形や道具を一つの箱体に収納できるとともに、箱体に幕板を装着することにより載置台として使用し、少ないスペースに収納でき且つ容易に取り出し・収納ができるようにした雛人形等の載置台兼用収納箱に関するものであり、雛人形及び道具を収納可能で且つ載置台としても使用可能な箱体と、上記箱体の一面に着脱自在に取り付けられた家紋等の装飾を表示した幕板と、を具備し、上記幕板を箱体の正面に配置することにより、箱体を載置台として使用するようにしたことを要旨とするものであった。
【特許文献１】実開平５−３９５９２号公報
【特許文献２】実用新案登録公報第３０１３８５０号
【考案の開示】
【考案が解決しようとする課題】
【０００４】
上記背景技術の項に記載の、実開平５−３９５９２号に係る考案並びに実用新案登録第３０１３８５０号に係る考案によれば、雛人形や道具類を収納する箱体を雛人形等を載置する載置台として使用し得るようにしたものであるから、雛人形と道具類及び飾り段を一つの収納体に収納できると共に、収納状態でそのまま部屋の家具として置くことができる等の著効を奏するとのものであった。しかしながら、この場合であっても、やはり部屋を手狭にする要因には間違いないという欠点があった。
更に、一般の家庭にあっては、上記記載の雛飾りの他、五月人形飾り、正月の羽子板飾り等、祭事に係る数種類の飾りセットが保有されているものであるが、これらを収納しておくためには多大なスペースが必要であると共に、年に一度の祭事のための物品であることから、押入や物置の奥に仕舞い込まれてしまう等の結果、あらためて祭事に使用される際に押入や物置の手前側の物品をわざわざ退かして、奥から取り出さなければならないことや、仮に取り出したとしてもそれを飾るスペースが既にない場合や、その飾り付けが煩雑且つ長時間を要すものであり、更には一定期間後に飾りを解体して長時間を要して各種の収納箱に収納した上で、再度押入や物置に収納する煩わしさから、飾り付けを行わないようになるケースも多く見受けられる。このような結果、一般家庭においては日本の伝統的な祭事との関わりが益々希薄になってしまうという欠点もある。
【０００５】
本考案は、上記背景技術に記載した各種欠点等に鑑み成されたものであり、雛人形、五月人形等の節句に用いられる飾りセットのみならず、年中行事や四季の風物をテーマにした飾りセットをコンパクトな収納ケースに収蔵し、且つ当該収納ケースを被装する外箱から構成されるようにすることで、普段は外箱に被装された状態で書棚などに収納することができるようにし、祭事の際に書棚などから容易に取り出し、飾り付けが実施でき、また収納の際も極めて容易に収納し得る、祭事セットを提供することを目的とする。
【課題を解決するための手段】
【０００６】
本考案に係る祭事セットは、主に雛人形、五月人形等の節句に用いられる飾りセット、更には、年中行事や四季の風物をテーマにした飾りセットを収蔵した収納ケースと、当該収納ケースを被装する外箱から成る状態で書棚などに収納することができるようにした祭事セットであることを要旨とする。
【０００７】
更に、本考案に係る祭事セットの外箱背表面部には、当該収納ケースに収蔵されている飾りセット等の名称が記載されていることが好ましい。
【考案を実施するための最良の形態】
【０００８】
本考案に係る祭事セットは、各種飾りセットを収蔵した収納ケースと、当該収納ケースを被装する外箱から成る状態で書棚などに収納するようにしたことにより、収納しておくための多大なスペースを必要とせず、年に一度の祭事の際にも、その祭事に関する祭事セットを簡単に書棚などから取り出し、飾り付けを行い、一定期間後に収納ケースに収納し再び外箱により被装して書棚などに収納し得るようにしたので、整理整頓が容易であり、必要に応じていつでも伝統的な祭事を体感することができるようにした。
【実施例１】
【０００９】
更に以下、本考案に係る祭事セットに係る好適な一実施例に基づき、本考案について詳述するものとする。先ず、図７は本考案に係る祭事セットにおける外箱の背表面部を示した概要図であり、図６は、本考案に係る祭事セットの外箱から収納ケースを引出した際の概要図である。図示のように、本考案に係る祭事セット１における外箱２の背表面部３には、当該外箱２が被装する収納ケース４内に収蔵される飾りセットのタイトルが表示されている。ここでは、「日本のまつりごと  ＊ひな祭り＊」との表示がなされ、上記収納ケース４内に収蔵される飾りセットが、ひな祭りに因んだものであることを直感することができる。また、図６における符号５は、収納ケース蓋体５であり、後述される収納ケース４は、収納ケース本体と収納ケース蓋体５から構成されている。
【００１０】
続いて、図５は、本考案に係る収納ケースを一部開いた際の概要図であり、図示のように、収納ケース４は収納ケース蓋体５及び収納ケース本体６から構成され、収納ケース蓋体５を開けると、収納ケース本体６には緋毛氈７が敷設されている。これは、収納ケース４内に収蔵される飾りセットに対する摺り傷防止や衝撃緩和の目的の他、後述されるが、飾りセットを段飾りする際に段に敷設される緋毛氈７としても使用されるものである。続いて、図４は、本考案に係る収納ケース蓋体の裏面を示した概要図であり、図示のように、収納ケース蓋体裏面８には、漆工の蒔絵技法によって桜の花びらと水面が描かれている。また、当該収納ケース蓋体裏面８は、後述されるように段飾りの際の屏風として使用されるものである。
【００１１】
更にまた、図３は、本考案に係る収納ケースに収蔵される飾りセットの内容を示した概要図である。図示のように、収納ケース本体６内には、上段部には男雛９及び女雛１０と、一対の雪洞１４が収蔵されている。一方、下段部には一対の台座１８が天地逆さに載置され、当該台座１８には、女官・加之銚子１１、女官・長柄銚子１２、女官・三宝１３から成る三人官女と、一対の菱餅１５が収納されており、更に、一対の座布団１６並びに一対の座布団用緋毛氈１７が収蔵されている。ここで、男雛９、女雛１０、女官・加之銚子１１、女官・長柄銚子１２、女官・三宝１３の装束は、錦織の織地を木目込んだものである。
【００１２】
次にまた、図２は、本考案に係る収納ケース及び飾りセットによって段飾りする際の構成を横方向から示した概要図である。図示のように、当該飾りセット１９の段飾りの構成は三段飾りであり、下段は収納ケース本体６を天地逆さに配置したもの、中段は台座１８を天地逆さにしたもの、上段は座布団１６とし、緋毛氈７を中段から下段へ敷設する一方、上段の座布団１６上には座布団用緋毛氈１７を敷設すると共に、これら三段飾りの背面には、収納ケース蓋体５の裏面８が屏風２０となるように立設される。
【００１３】
そして、図１は、本考案に係る収納ケース及び飾りセットによって構成した三段飾りを正面方向から示した概要図である。ここでも、図示のように、当該飾りセット１９の下段には右側から女官・長柄銚子１２、女官・三宝１３、女官・加之銚子１１の三人官女が載置され、その手前側には一対の菱餅１５が備えられている。更に中段には、左右に一対の雪洞１４が載置され、続いて、上段には右側から女雛１０と男雛９とが載置されている。一方、これら三段飾りの背後には、収納ケース蓋体５の裏面８が屏風２０として用いられている。以上のように、配置構成された三段飾りからなる飾りセットは、豪華さと優美さとを醸成し、見るものに日本の伝統行事の美しさを感得させるものであった。
【産業上の利用可能性】
【００１４】
本考案に係る祭事セットは、上記一実施例に示した雛人形の他に、五月人形等の節句に用いられる飾りセット、更には、年中行事や四季の風物をテーマにした飾りセットを対象にし、伝統的行事が希薄な存在となりつつある現代において、これら日本の豊な伝統を想起させるツールとしての役割を果たし得るものであり、また、その日頃の収納においては、百科事典等と同様に書棚に収納して、必要な際に手軽に取り出し容易に飾り付けできると共に、また、容易に取り纏めて元の書棚等に収納することもでき、その利用の可能性は極めて高い。更に、年中行事や四季の風物等をシリーズとして、各別の収納ケースに取り纏め、当該収納ケースを被装する外箱背表面部に各別のタイトルを表示して、シリーズ物として書棚等に収納するようにすれば、収納スペースに困るという問題は解決され、また、押入や物置等のように特別の場所に収納するものではなく、常に身近な場所に置くことができるので、より親しみ深くそれらを用いることができ、伝統的行事等の伝承に果たす役割も大きいと考えられる。
【図面の簡単な説明】
【００１５】
【図１】本考案に係る収納ケース及び飾りセットによって構成した三段飾りを正面方向から示した概要図。
【図２】本考案に係る収納ケース及び飾りセットによって段飾りする際の構成を横方向から示した概要図。
【図３】本考案に係る収納ケースに収蔵される飾りセットの内容を示した概要図。
【図４】本考案に係る収納ケース蓋体の裏面を示した概要図。
【図５】本考案に係る収納ケースを一部開いた際の概要図。
【図６】本考案に係る祭事セットの外箱から収納ケースを引出した際の概要図。
【図７】本考案に係る祭事セットにおける外箱の背表面部を示した概要図。
【符号の説明】
【００１６】
１    本考案に係る祭事セット
２    外箱
３    外箱の背表面部
４    収納ケース
５    収納ケース蓋体
６    収納ケース本体
７    緋毛氈
８    収納ケース蓋体の裏面
９    男雛
１０  女雛
１１  女官・加之銚子
１２  女官・長柄銚子
１３  女官・三宝
１４  雪洞
１５  菱餅
１６  座布団
１７  座布団用緋毛氈
１８  台座
１９  飾りセット
２０  屏風
【図１】
0003145133.tif 000003
【図２】
0003145133.tif 000004
【図３】
0003145133.tif 000005
【図４】
0003145133.tif 000006
【図５】
0003145133.tif 000007
【図６】
0003145133.tif 000008
【図７】
0003145133.tif 000009
【手続補正書】
【提出日】平成20年7月23日(2008.7.23)
【手続補正１】
【補正対象書類名】実用新案登録請求の範囲
【補正対象項目名】請求項１
【補正方法】変更
【補正の内容】
【請求項１】
雛人形、五月人形等の節句に用いられる飾りセット又は年中行事・四季の風物をテーマにした飾りセットに関する複数の装飾部材と、収納ケース蓋体と収納ケース本体から成ると共に上記装飾部材を収納する収納ケースと、当該収納ケースを被装する外箱から成る飾りセットであって、上記収納ケース本体を天地逆さに配置して段飾りの下段を構成すると共に、上記収納ケース蓋体裏面に屏風絵が描かれていることを特徴とする、祭事セット。
【手続補正２】
【補正対象書類名】明細書
【補正対象項目名】０００６
【補正方法】変更
【補正の内容】
【０００６】
上記目的を達成するため、本考案に係る祭事セットは、雛人形、五月人形等の節句に用いられる飾りセット又は年中行事・四季の風物をテーマにした飾りセットに関する複数の装飾部材と、収納ケース蓋体と収納ケース本体から成ると共に上記装飾部材を収納する収納ケースと、当該収納ケースを被装する外箱から成る飾りセットであって、上記収納ケース本体を天地逆さに配置して段飾りの下段を構成すると共に、上記収納ケース蓋体裏面に屏風絵が描かれていることを要旨とする。